(57)【特許請求の範囲】
【請求項１】
電子機器の電気接続部を当該電子機器と異なる電子機器用のスロットの接点に電気的に接続するアダプタであって、
前記スロットの接点と電気的に接続する第１のコネクタと、
前記第１のコネクタと電気的に接続され、前記電子機器の電気接続部と電気的に接続する第２のコネクタと、
前記第１および第２のコネクタが設けられたシャーシと、
前記シャーシに設けられ、前記第２のコネクタの端子を露出させることにより、前記電子機器の電気接続部と前記第２のコネクタとを電気的に接続可能にする第１の位置と、前記第２のコネクタの端子を覆うことにより、前記電子機器の電気接続部と前記第２のコネクタとを電気的に接続できなくする第２の位置との間で変位し、前記第１の位置から前記第２の位置に向けて前記電子機器を押圧可能な押圧部材と、
前記シャーシに対して移動可能に設けられたイジェクトレバーと、
前記イジェクトレバーの動きを前記押圧部材に伝達する伝達部材を有することを特徴とするアダプタ。
【請求項２】
前記伝達部材は、前記シャーシに回転軸を介して回動可能に設けられ、一端が第１の連係部を介して前記押圧部材と連係され、他端が第２の連係部を介して前記イジェクトレバーと連係され、前記押圧部材と前記イジェクトレバーとを連動させるアームであることを特徴とする請求項１に記載のアダプタ。
【請求項３】
電子機器の電気接続部を当該電子機器と異なる電子機器用のスロットの接点に電気的に接続するアダプタであって、
前記スロットの接点と電気的に接続する第１のコネクタと、
前記第１のコネクタと電気的に接続され、前記電子機器の電気接続部と電気的に接続する第２のコネクタと、
前記第１および第２のコネクタが設けられたシャーシと、
前記シャーシに設けられ、前記電子機器の電気接続部と前記第２のコネクタとを電気的に接続可能にする第１の位置と前記電子機器の電気接続部と前記第２のコネクタとを電気的に接続できなくする第２の位置との間で変位し、前記第１の位置から前記第２の位置に向けて前記電子機器を押圧可能な押圧部材と、
前記シャーシに対して移動可能に設けられたイジェクトレバーと、
前記イジェクトレバーの動きを前記押圧部材に伝達する伝達部材を有し、
前記シャーシは、前記伝達部材を回動可能に支持する回転軸を有しており、
前記伝達部材は、前記シャーシの回転軸を介して回動可能に設けられ、一端が第１の連係部を介して前記押圧部材と連係され、他端が第２の連係部を介して前記イジェクトレバーと連係され、前記押圧部材と前記イジェクトレバーとを連動させるアームであることを特徴とするアダプタ。
【請求項４】
前記押圧部材の両端部を常時第１の位置から第２の位置に向けて付勢する一対の付勢部材を具備し、前記押圧部材が前記付勢部材の付勢力によって第１の位置から第２の位置に向けて変位するよう構成されていることを特徴とする請求項２または３に記載のアダプタ。
【請求項５】
前記回転軸に支持された前記アームの離脱を防止する離脱防止手段を有することを特徴とする請求項２ないし４のいずれかに記載のアダプタ。
【請求項６】
前記アームの回転角度を制限する制限手段を有することを特徴とする請求項２ないし５のいずれかに記載のアダプタ。
【請求項７】
前記第１の連係部は、前記押圧部材の幅方向のほぼ中央部に位置するよう構成されていることを特徴とする請求項２または５または６のいずれかに記載のアダプタ。
【請求項８】
前記第１の連係部は、前記アームおよび前記押圧部材の一方に設けられた突部と、他方に設けられた孔部とによって構成されていることを特徴とする請求項２または５ないし７のいずれかに記載のアダプタ。
【請求項９】
前記孔部は、前記突部の直径とほぼ同一の幅を有する長孔状に形成されており、前記突部が前記アームの回動時に前記孔部に沿って移動可能に構成されていることを特徴とする請求項８に記載のアダプタ。
【請求項１０】
前記アームは、金属板材によって形成されており、前記突部は、前記アームの端部をバーリング加工することによって前記アームと一体的に形成されていることを特徴とする請求項８または９に記載のアダプタ。
【請求項１１】
前記第２の連係部は、前記アームの他端に設けられた連係片と、前記イジェクトレバーに設けられ、前記連係片と係合する連係片収容部とによって構成されていることを特徴とする請求項２または５ないし１０のいずれかに記載のアダプタ。
【請求項１２】
前記連係片は、前記連係片収容部に対する該連係片の位置を調節する段部を介して前記アーム本体と一体的に形成されていることを特徴とする請求項１１に記載のアダプタ。
【請求項１３】
前記押圧部材が第２の位置に到達した際に、該押圧部材を第２の位置に保持する保持手段を有することを特徴とする請求項１ないし１２のいずれかに記載のアダプタ。
【請求項１４】
前記保持手段は、前記押圧部材に固定され、係合突部を有する弾性片と、前記シャーシに形成された係合孔部とから構成されており、該弾性片の係合突部が、前記シャーシに形成された係合孔部に係合することによって、前記押圧部材を第２の位置に保持するよう構成されていることを特徴とする請求項１３に記載のアダプタ。
【請求項１５】
前記係合突部は、電子機器が装着される際に、該電子機器の側部に当接して変位するよう構成されており、この変位によって該係合突部と前記係合孔部との係合が解除され、前記押圧部材が第２の位置から第１の位置に向けて変位可能になることを特徴とする請求項１４に記載のアダプタ。
【請求項１６】
前記シャーシは、該シャーシの前記第２のコネクタの側から間隔を置いて延出し、前記電子機器の収容部を規定する１対の腕部を有しており、該腕部の一方に前記イジェクトレバー、他方に前記弾性片が配置されていることを特徴とする請求項１４または１５に記載のアダプタ。
【請求項１７】
前記押圧部材は、前記第２のコネクタの端子を挿通する突出口を有することを特徴とする請求項１ないし１６のいずれかに記載のアダプタ。
【請求項１８】
前記複数の電気接続部を備えた電子機器は、半導体メモリカード、インターフェースカード、またはハードディスクであることを特徴とする請求項１ないし１７のいずれかに記載のアダプタ。
【請求項１９】
前記押圧部材は第１の位置で前記第２のコネクタの端子を露出し、第２の位置で該コネクタの端子を覆うことを特徴とする請求項３ないし１８のいずれかに記載のアダプタ。
【請求項２０】
前記イジェクトレバーは、その先端を覆うキャップを有し、前記電子機器を前記第２のコネクタに接続する際、該電子機器の側部に当接する案内突部を該キャップの側面に設けたことを特徴とする請求項１ないし１９のいずれかに記載のアダプタ。
【請求項２１】
前記１対の腕部は、長腕部と、該長腕部より長さが短い短腕部とを有し、前記短腕部に前記イジェクトレバーが設けられている請求項１ないし２０のいずれかに記載のアダプタ。
【請求項２２】
前記押圧部材は、前記電子機器に対してその幅方向のほぼ中央位置から両外方に沿って面接触または多点接触にて押圧することを特徴とする請求項１ないし２１のいずれかに記載のアダプタ。
【発明の詳細な説明】
【０００１】
【発明の属する技術分野】
本発明は、パーソナルコンピュータに代表される情報機器で利用されるカード状電子機器の電気接続部を、他の規格のカード状電子機器用のスロットの接点に電気的に接続するためのカードアダプタに関するものである。
【０００２】
【従来の技術】
従来より、たとえばＰＣカードなどに代表されるカード状電子機器のスロットの接点に、該ＰＣカードより小型のカード状電子機器であるＣＦカードの接点を電気接続するためのカードアダプタが使用されている。
【０００３】
従来のこの種のカードアダプタの一例として、特開２０００-２５９７８２に記載のカードアダプタを図１７に示す。
【０００４】
図１７に示されたカードアダプタ８０は、樹脂等で形成されたシャーシ８１と、該シャーシ８１に取り付けられる回路基板組立体８２と、これらの両面を覆う１対の導電プレート８３、８３とを有している。
【０００５】
前記シャーシ８１には、前記ＣＦカードを収容するＣＦカード収容部８４が設けられており、前記回路基板組立体８２には、ＰＣカードスロットの接点に電気接続される第１のコネクタ８５、ＣＦカードの接点に電気接続される第２のコネクタ８６や、前記ＣＦカード収容部８４に収容されたＣＦカードを取り出すためのイジェクトボタン８７およびイジェクトアーム８８が設けられている。
【０００６】
前記イジェクトボタン８７は、前記シャーシ８１の長手方向に往復動自在に取り付けられており、前記イジェクトアーム８８は、回転軸８９を中心に前記回路基板組立体８２に回動自在に取り付けられている。また、前記イジェクトボタン８７と前記イジェクトアーム８８は、連係部９０を介して回動自在に連係されている。
【０００７】
そして、前記ＣＦカード収容部８４に収容されたＣＦカードを取り出す際には、前記イジェクトボタン８７を前記連係部９０側に押し込み、前記イジェクトアーム８８の先端部を前記ＣＦカード収容部８４内に突出させ、前記ＣＦカードを押し出すイジェクト操作を行うようになっている。
【０００８】
また、前記ＣＦカードには、該ＣＦカードが帯電した静電気を放電するための接地用接触部（図示せず）が設けられており、前記シャーシ８１には、該接地用接触部からの静電気をＰＣカード用スロットの接地手段へと放電させるための放電経路が設けられている。
【０００９】
この放電経路は、ＣＦカード側面に設けられた接地用接触部に弾接する弾接片９１、ＰＣカード用スロットの接地手段に接触する接触片９２、これらの弾接片９１、接触片９２を電気的に接続する導電プレート８３によって構成されている。
【００１０】
【発明が解決しようとする課題】
上記従来の構成のカードアダプタ８０は、前記イジェクト操作の際に、ＣＦカードの端部を前記イジェクトアーム８８の微小面積の先端部のみによって点接触で押圧する構成となっているため、前記イジェクトアーム８８の先端部と当接する前記ＣＦカードの当接部に磨耗が生じやすかった。
【００１１】
また、前記イジェクトアーム８８は、前記ＣＦカードの端部の図面左側の部分のみを点接触で押圧する構成となっている。そのため、イジェクト操作の際に前記ＣＦカードの左側部分が右側部分より大きく変位しやすく、この変位の差を原因とする前記ＣＦカード収容部８４内でのＣＦカードの傾きにより、ＣＦカードに接続される第２のコネクタ端子９３に変形が生じることがあった。
【００１２】
さらに、上記構成のカードアダプタ８０は、ユーザーが前記イジェクトボタン８７を用いず、当該カードアダプタ８０からＣＦカードを手で引き抜いた場合に、前記イジェクトボタン８７が、当該カードアダプタ８０の外側に突出したままの状態となり、横方向からの力により破損しやすくなっていた。
【００１３】
また、タイプIIのＣＦカードの場合は、ＰＣカードアダプタとＣＦカードの厚みが等しいため、上記構成のＰＣカードアダプタでは、イジェクトアーム８８や第２のコネクタ８６を一対の導電プレート８３で覆うことができず、ユーザーが触れて、部品が変形する可能性があった。
【００１４】
本発明は、上記問題点に鑑み、カード状電子機器を確実かつ容易に着脱することのできるカードアダプタを提供することを目的とする。
【００１５】
【課題を解決するための手段】
このような目的は、以下の（１）〜（２２）の本発明により達成される。
【００１６】
（１）  電子機器の電気接続部を当該電子機器と異なる電子機器用のスロットの接点に電気的に接続するアダプタであって、
前記スロットの接点と電気的に接続する第１のコネクタと、
前記第１のコネクタと電気的に接続され、前記電子機器の電気接続部と電気的に接続する第２のコネクタと、
前記第１および第２のコネクタが設けられたシャーシと、
前記シャーシに設けられ、前記第２のコネクタの端子を露出させることにより、前記電子機器の電気接続部と前記第２のコネクタとを電気的に接続可能にする第１の位置と、前記第２のコネクタの端子を覆うことにより、前記電子機器の電気接続部と前記第２のコネクタとを電気的に接続できなくする第２の位置との間で変位し、前記第１の位置から前記第２の位置に向けて前記電子機器を押圧可能な押圧部材と、
前記シャーシに対して移動可能に設けられたイジェクトレバーと、
前記イジェクトレバーの動きを前記押圧部材に伝達する伝達部材を有することを特徴とするアダプタ。
【００１７】
（２）  前記伝達部材は、前記シャーシに回転軸を介して回動可能に設けられ、一端が第１の連係部を介して前記押圧部材と連係され、他端が第２の連係部を介して前記イジェクトレバーと連係され、前記押圧部材と前記イジェクトレバーとを連動させるアームであることを特徴とする上記（１）に記載のアダプタ。
【００１８】
（３）  電子機器の電気接続部を当該電子機器と異なる電子機器用のスロットの接点に電気的に接続するアダプタであって、
前記スロットの接点と電気的に接続する第１のコネクタと、
前記第１のコネクタと電気的に接続され、前記電子機器の電気接続部と電気的に接続する第２のコネクタと、
前記第１および第２のコネクタが設けられたシャーシと、
前記シャーシに設けられ、前記電子機器の電気接続部と前記第２のコネクタとを電気的に接続可能にする第１の位置と前記電子機器の電気接続部と前記第２のコネクタとを電気的に接続できなくする第２の位置との間で変位し、前記第１の位置から前記第２の位置に向けて前記電子機器を押圧可能な押圧部材と、
前記シャーシに対して移動可能に設けられたイジェクトレバーと、
前記イジェクトレバーの動きを前記押圧部材に伝達する伝達部材を有し、
前記シャーシは、前記伝達部材を回動可能に支持する回転軸を有しており、
前記伝達部材は、前記シャーシの回転軸を介して回動可能に設けられ、一端が第１の連係部を介して前記押圧部材と連係され、他端が第２の連係部を介して前記イジェクトレバーと連係され、前記押圧部材と前記イジェクトレバーとを連動させるアームであることを特徴とするアダプタ。
（４）  前記押圧部材の両端部を常時第１の位置から第２の位置に向けて付勢する一対の付勢部材を具備し、前記押圧部材が前記付勢部材の付勢力によって第１の位置から第２の位置に向けて変位するよう構成されていることを特徴とする上記（２）または（３）に記載のアダプタ。
【００２０】
（５）  前記回転軸に支持された前記アームの離脱を防止する離脱防止手段を有することを特徴とする上記（２）ないし（４）のいずれかに記載のアダプタ。
【００２１】
（６）  前記アームの回転角度を制限する制限手段を有することを特徴とする上記（２）ないし（５）のいずれかに記載のアダプタ。
【００２２】
（７）  前記第１の連係部は、前記押圧部材の幅方向のほぼ中央部に位置するよう構成されていることを特徴とする上記（２）または（５）または（６）のいずれかに記載のアダプタ。
【００２３】
（８）  前記第１の連係部は、前記アームおよび前記押圧部材の一方に設けられた突部と、他方に設けられた孔部とによって構成されていることを特徴とする上記（２）または（５）ないし（７）のいずれかに記載のアダプタ。
【００２４】
（９）  前記孔部は、前記突部の直径とほぼ同一の幅を有する長孔状に形成されており、前記突部が前記アームの回動時に前記孔部に沿って移動可能に構成されていることを特徴とする上記（８）に記載のアダプタ。
【００２５】
（１０）  前記アームは、金属板材によって形成されており、前記突部は、前記アームの端部をバーリング加工することによって前記アームと一体的に形成されていることを特徴とする上記（８）または（９）に記載のアダプタ。
【００２６】
（１１）  前記第２の連係部は、前記アームの他端に設けられた連係片と、前記イジェクトレバーに設けられ、前記連係片と係合する連係片収容部とによって構成されていることを特徴とする上記（２）または（５）ないし（１０）のいずれかに記載のアダプタ。
【００２７】
（１２）  前記連係片は、前記連係片収容部に対する該連係片の位置を調節する段部を介して前記アーム本体と一体的に形成されていることを特徴とする上記（１１）に記載のアダプタ。
【００２８】
（１３）  前記押圧部材が第２の位置に到達した際に、該押圧部材を第２の位置に保持する保持手段を有することを特徴とする上記（１）ないし（１２）のいずれかに記載のアダプタ。
【００２９】
（１４）  前記保持手段は、前記押圧部材に固定され、係合突部を有する弾性片と、前記シャーシに形成された係合孔部とから構成されており、該弾性片の係合突部が、前記シャーシに形成された係合孔部に係合することによって、前記押圧部材を第２の位置に保持するよう構成されていることを特徴とする上記（１３）に記載のアダプタ。
【００３０】
（１５）  前記係合突部は、電子機器が装着される際に、該電子機器の側部に当接して変位するよう構成されており、この変位によって該係合突部と前記係合孔部との係合が解除され、前記押圧部材が第２の位置から第１の位置に向けて変位可能になることを特徴とする上記（１４）に記載のアダプタ。
【００３１】
（１６）  前記シャーシは、該シャーシの前記第２のコネクタの側から間隔を置いて延出し、前記電子機器の収容部を規定する１対の腕部を有しており、該腕部の一方に前記イジェクトレバー、他方に前記弾性片が配置されていることを特徴とする上記（１４）または（１５）に記載のアダプタ。
【００３２】
（１７）  前記押圧部材は、前記第２のコネクタの端子を挿通する突出口を有することを特徴とする上記（１）ないし（１６）のいずれかに記載のアダプタ。
【００３３】
（１８）  前記複数の電気接続部を備えた電子機器は、半導体メモリカード、インターフェースカード、またはハードディスクであることを特徴とする上記（１）ないし（１７）のいずれかに記載のアダプタ。
【００３４】
（１９）  前記押圧部材は第１の位置で前記第２のコネクタの端子を露出し、第２の位置で該コネクタの端子を覆うことを特徴とする上記（３）ないし（１８）のいずれかに記載のアダプタ。
【００３５】
（２０）  前記イジェクトレバーは、その先端を覆うキャップを有し、前記電子機器を前記第２のコネクタに接続する際、該電子機器の側部に当接する案内突部を該キャップの側面に設けたことを特徴とする上記（１）ないし（１９）のいずれかに記載のアダプタ。
【００３６】
（２１）  前記１対の腕部は、長腕部と、該長腕部より長さが短い短腕部とを有し、前記短腕部に前記イジェクトレバーが設けられている上記（１）ないし（２０）のいずれかに記載のアダプタ。
【００３７】
（２２）  前記押圧部材は、前記電子機器に対してその幅方向のほぼ中央位置から両外方に沿って面接触または多点接触にて押圧することを特徴とする上記（１）ないし（２１）のいずれかに記載のアダプタ。
【００３８】
本発明の他の目的、作用および効果は、図面を参照して行う以下の実施形態の説明から、より明らかとなるであろう。
【００３９】
【発明の実施の形態】
以下、本発明に係るカードアダプタの好適実施形態を図面に基づいて詳述する。
【００４０】
図１は、本発明のカードアダプタの全体構成を示す斜視図である。図２は、本発明のカードアダプタの構造を示す分解側面図である。図３は、本発明のカードアダプタからＣＦカード未装着時に導電プレートを取り外した状態を示す斜視図である。図４は、本発明のカードアダプタからＣＦカード装着時に導電プレートを取り外した状態を示す斜視図である。図５は、図３のカードアダプタの腕部の内部構造を示す一部切り欠き断面図である。図６は、本発明のカードアダプタに係るシャーシ、押圧部材、アームの断面図である。図７は、図６において矢印Ａで示す第１の連係部の断面の拡大図である。図８は、図６において矢印Ｂで示すシャーシの回転軸およびアーム本体の断面の拡大図である。図９（ａ）は、本発明のカードアダプタに係る第２の連係部を図２右下側から見た斜視図、図９（ｂ）は、本発明のカードアダプタに係る第２の連係部を図２左下側から見た斜視図である。図１０（ａ）および（ｂ）は、本発明のカードアダプタに係る接続部材の斜視図である。図１１は、本発明のカードアダプタに係る導電プレートを裏側から見た斜視図である。図１２（ａ）および（ｂ）は、それぞれ図１１の弾接片およびその周辺部の拡大図である。図１３は、図１のＡ-Ａ′線断面図である。図１４は、本発明のカードアダプタに装着されるＣＦカードの全体構成を示す斜視図である。図１５は、本発明のカードアダプタに係る腕部の構成の他の実施形態を示す正面図である。図１６は、本発明のカードアダプタのイジェクトレバーに係るキャップの変形例が適用されたカードアダプタの全体構成を示す斜視図である。
【００４１】
本実施形態のカードアダプタは、たとえばＣＦ（Ｃｏｍｐａｃｔ  Ｆｌａｓｈ：商標）カード、インターフェースカード、またはハードディスクなどの複数の電気接続部を備えたカードの電気接続部を該カードと規格の異なるたとえばＰＣカード用のスロットの接点に電気的に接続するためのカードアダプタである。なお、以下の実施形態においては、本発明のカードアダプタを前記ＣＦカードの電気接続部を前記ＰＣカード用スロットの接点に電気的に接続するためのカードアダプタに適用した例について説明する。
【００４２】
このカードアダプタ１は、図１ないし図５に示すように、前記スロットの接点と電気接続する第１のコネクタ１１と、前記第１のコネクタ１１と電気的に接続され、ＣＦカード２の電気接続部と電気接続する第２のコネクタ１２と、前記第１および第２のコネクタ１１、１２が取り付けられたシャーシ１０と、前記シャーシ１０に設けられ、前記ＣＦカード２の電気接続部を前記第２のコネクタ１２に接続可能な第１の位置（図４参照）とＣＦカード２の電気接続部を前記第２のコネクタ１２から取り外す第２の位置（図３参照）との間で変位し、第１の位置にあるＣＦカード２を第２の位置に向けて押圧可能な押圧部材４０と、前記シャーシに対して移動可能に設けられたイジェクトレバー５０と、前記シャーシ１０に回転軸１３を介して回動可能に設けられ、一端が前記押圧部材４０に第１の連係部（連結部）１４を介して連係され、他端が第２の連係部（連結部）１５を介して前記イジェクトレバー５０と連係され、前記イジェクトレバー５０の動きを前記押圧部材４０に伝達する伝達部材として機能し、前記押圧部材４０と前記イジェクトレバー５０とを連動させるアーム６０と、前記シャーシ１０の両面に位置する１対の導電プレート７０、７１とを有している。
【００４３】
前記シャーシ１０は、樹脂などの絶縁素材で形成されており、図２ないし図５に示すように、ほぼ長方形をなし、一方の端部に前記第１のコネクタ１１が位置し、他方の端部に前記第２のコネクタ１２が位置する本体部１６と、該本体部１６の前記第２のコネクタ１２側の端部から間隔をおいて延出し、後述するＣＦカード収容部１９（図３、図５参照）を規定する１対の腕部１７Ｌ、１７Ｒを有している。前記腕部１７Ｌには、図２ないし図５に示すように、前記イジェクトレバー５０を収容するイジェクトレバー収容部２５が設けられ、前記腕部１７Ｒには、前記押圧部材４０に設けられた後述する弾性片４３を収容する弾性片収容部２３が設けられている。また、前記腕部１７Ｌ、１７Ｒは、その延出方向先端側に前記１対の導電プレート７０、７１と当該カードアダプタ１を把持する操作者とを絶縁する絶縁把持部１８Ｌ、１８Ｒを有している。
【００４４】
絶縁把持部１８Ｌ、１８Ｒは、図３および図４に示すように、前記１対の腕部１７Ｌ、１７Ｒの延出方向先端部の絶縁素材を露出させることによって構成されている。この絶縁素材の露出は、前記導電プレート７０、７１を一部欠損させることによりなされている。このような構成により、前記導電プレート７０、７１や後述する接続部材３０など、導電性を有する部材が当該絶縁把持部１８Ｌ、１８Ｒを把持する操作者に接触しない。
【００４５】
なお、前記絶縁把持部１８Ｌ、１８Ｒは、当該カードアダプタ１を前記スロットに装着する際に主に操作者によって把持される前記１対の腕部１７Ｌ、１７Ｒの延出方向先端側から少なくとも１ｃｍの距離に設けられていることが好ましい。
【００４６】
そして、そのような構成とすることで、当該カードアダプタ１を、前記絶縁把持部を介して把持する操作者からの静電気は絶縁され、該静電気が前記導電プレート７０、７１やその他の導電性を有する部材の内部を通過し、前記スロットやＣＦカード２に流れることを防止できる。
【００４７】
なお、本実施形態においては、図３および図４に示すように、前記腕部１７Ｌの長さと前記腕部１７Ｒの長さとがほぼ等しく構成され、後述するイジェクトレバーのキャップ５３が、前記腕部１７Ｌの先端に位置するよう構成されているが、この構成に限らず、図１５に示すように、これらの腕部の一方を長腕部１７Ｒ′とし、他方を前記長腕部１７Ｒより長さの短い短腕部１７Ｌ′とするとともに、前記イジェクトレバー５０を前記短腕部１７Ｌ′に設けることも可能である。
【００４８】
そして、そのような構造とした場合には、図１５に示すように、前記イジェクトレバー５０が前記シャーシ１０の内部に引き込まれた際の前記長腕部１７Ｒ′の先端部に対する前記イジェクトレバー５０のキャップ５３の先端部の突出量を減少させることができる。
【００４９】
ＣＦカード２は、図１４に示すように、ほぼ長方形をなす板状のカード状電子機器であり、その図面上側の端面には、ＣＦカード収容部１９に設けられた端子接点と電気接続される電気接続部（図示せず）が設けられている。また、ＣＦカード２の図面左右両側の端面、すなわちＣＦカード２が前記シャーシ１０の前記ＣＦカード収容部１９に位置した際に、前記腕部１７Ｌ、１７Ｒの側に位置する側面には、該ＣＦカード２が帯電している静電気を前記ＣＦカード収容部１９の左右両側に設けられた後述する接続部材３０へと放電するための接地用接触部３と、ＣＦカード２を前記ＣＦカード収容部１９に装着する際にＣＦカード２を案内する案内溝４および案内凹部５とが設けられている。
【００５０】
また、前記シャーシ１０の前記腕部１７Ｌ、１７Ｒには、図５に示すように、ＣＦカード２の前記接地用接触部３に電気接続する接続部材３０が設けられている。
【００５１】
前記接続部材３０は、金属板材などの導電素材によって形成されており、図１０（ａ）および（ｂ）に示すように、前記ＣＦカード収容部１９にＣＦカード２が収容された際に前記接地用接触部３に弾接する弾接部（金属バネ）３１と、当該接続部材３０を前記シャーシ１０に設けられた被取付部２０に取り付けるための取付部３２とを有している。
【００５２】
ここで、前記被取付部２０は、図５および図１３に示すように、前記シャーシ１０の前記腕部１７Ｌ、１７Ｒの内側の面に各２箇所づつ設けられており、前記取付部３２に設けられた後述する嵌合片３３、３３と嵌合する。また、該被取付部２０は、図１３に示すように、前記腕部１７Ｌ、１７Ｒの上面に設けられた開口部２７と連通しており、この開口部２７を通じて前記嵌合片３３、３３と、前記導電プレート７０に設けられた後述する弾接片７４Ｌ、７４Ｒが当接可能となっている。
【００５３】
前記弾接部３１は、図１０（ａ）および（ｂ）に示すように、断面ほぼ「く」の字状に形成された折曲げ片であり、前記シャーシ１０に取り付けられた際に、前記腕部１７Ｌ、１７Ｒの内側に突出し、ＣＦカード２の前記接地用接触部３と弾接する。
【００５４】
前記取付部３２は、図１０（ａ）および（ｂ）に示すように、前記シャーシ１０の被取付部２０と係合する上下１対の嵌合片３３、３３を備えている。該嵌合片３３、３３は、その図面上下方向両側部に前記被取付部２０と嵌合する鉤部３４、３４を有している。この鉤部３４は、当該接続部材３０が前記被取付部２０から離脱することを防止する機能を有している。
【００５５】
また、前記嵌合片３３は、その上面が前記導電プレート７０に設けられた後述する弾接片７４Ｌ、７４Ｒに対する受け面となっており、該弾接片７４Ｌ、７４Ｒと前記嵌合片３３との当接によって当該接続部材３０と前記導電プレート７０との導通が図られている。
【００５６】
また、前記シャーシ１０には、図２に示すように、前記押圧部材４０を常時第１の位置から第２の位置側に向けて付勢する１対の付勢部材２１、２１が設けられている。該付勢部材２１、２１は、図２に示すように、前記第２のコネクタ１２の両端に設けられた圧縮コイルバネであり、これらの付勢部材２１、２１により、前記押圧部材４０が第１の位置から第２の位置に向けて付勢され、変位するよう構成されている。
【００５７】
また、前記シャーシ１０は、図２ないし図５に示すように、前記アーム６０を回動自在に支持する回転軸１３を有している。該回転軸１３は、図８に示すように、前記シャーシ１０と一体的に形成されている。また、該回転軸１３の先端部は、前記アーム６０を取り付けた後に、熱変形などによって当該回転軸１３の直径より拡径させ、キノコ状となるよう構成されている。そして、このような構成とすることで、該回転軸１３からの前記アーム６０の離脱が防止されるようになっている。
【００５８】
また、前記シャーシ１０には、図３および図４に示すように、前記回転軸１３を中心とした前記アーム６０の回転角度を制限するため、壁部２２ａないし２２ｄが設けられている。
【００５９】
前記壁部２２ａおよび２２ｂは、図４に示すように、前記押圧部材４０が第１の位置に位置した際の前記アーム６０の前記回転軸１３より図面左側の下側側面、および前記回転軸より図面右側の上側側面の位置に対応した位置に設けられている。
【００６０】
また、前記壁部２２ｃおよび２２ｄは、図３に示すように、前記押圧部材４０が第２の位置に位置した際の前記アーム６０の前記回転軸１３より図面左側の上側側面、および前記アーム６０の前記回転軸１３より図面右側の下側側面の位置に対応した位置に設けられている。
【００６１】
そして、これらの壁部２２ｃおよび２２ｄは、前記アーム６０が必要以上に回転しようとした際に、前記アーム６０の側部に当接し、前記アーム６０の回転を規制する。そして、このように前記アーム６０の回転を規制することにより、該アーム６０の各端部、すなわち前記第１の連係部１４および前記第２の連係部１５にそれぞれ連係された前記押圧部材４０や前記イジェクトレバー５０の変位も規制されるようになっている。
【００６２】
前記押圧部材４０は、ＣＦカード２を押圧する機能と、ＣＦカード２が取り外された際に前記第２のコネクタ１２の端子ピン２９を保護する機能とを有している。
【００６３】
この押圧部材４０は、前記シャーシ１０と同様に樹脂などの絶縁素材で形成されており、図２ないし図５に示すように、前記第２のコネクタ１２の端子ピン２９を収容するカバー部４１と、該カバー部４１の図面上側、すなわち前記第１のコネクタ１１側の端部から延出する連係部４２と、前記カバー部４１の図面右側の端部に設けられた弾性片４３とを有している。
【００６４】
前記カバー部４１は、図２および図３に示すように、ほぼ箱状をなしており、前記ＣＦカード収容部１９側の端面に、前記第２のコネクタ１２の端子ピン２９を突出させるための突出口４４を有している。
【００６５】
また、前記連係部４２は、図２ないし図５に示すように、前記カバー部４１の幅方向ほぼ中央から前記第１のコネクタ１１に向かって延出している。また、該連係部４２の幅方向ほぼ中央部には、前記アーム６０の後述する突部６２と係合する孔部４５が設けられている。該孔部４５は、前記アーム６０の端部に設けられた後述する突部６２の直径とほぼ同一の幅を有する長孔状に形成されており、前記アーム６０の回動時に前記突部６２が前記孔部４５に沿って移動可能に構成されている。
【００６６】
そして、このような構造を用いることにより、前記突部６２と前記孔部４５との間に所定の遊びを設けることができ、前記アーム６０の回転運動を前記押圧部材４０の往復運動に好適に変換できるようになっている。
【００６７】
なお、本実施形態においては、前記突部６２および前記孔部４５の係合部分を第１の連係部１４と称する。また、本実施形態においては、突部６２をアーム６０に、孔部４５を押圧部材４０に設けているが、これに限らず、突部を押圧部材に設け、孔部をアームに設けることも可能であり、そのような構成とした場合にも本実施形態と同様の利点を享受することができる。
【００６８】
本実施形態においては、前記第１の連係部１４を前記押圧部材４０の幅方向のほぼ中央部に位置するよう構成することで、前記押圧部材４０が変位した際に、上述した従来のカードアダプタ８０のようにＣＦカードの幅方向の一方の端部が他方の端部より大きく変位するようなことがなく、前記押圧部材４０の変位に伴う前記第２のコネクタ１２の端子ピン２９の変形が生じない構造となっている。
【００６９】
前記弾性片４３は、金属板材で形成されており、図４および図５に示すように、前記シャーシ１０の前記弾性片収容部２３に設けられた係合孔部２４と係合する係合突部４６と、該係合突部４６を変位可能とするための板バネ部４７とを有している。また、この弾性片４３は、前記押圧部材４０の図面右側の端部に固定されており、前記シャーシ１０の前記腕部１７Ｒに設けられた前記弾性片収容部２３に収容されている。
【００７０】
前記係合突部４６は、前記押圧部材４０が第２の位置に到達した際に、図３および図５に示すように、前記シャーシ１０の係合孔部２４と係合する。そして、前記押圧部材４０が第２の位置から第１の位置へ向かって変位しようとした際に該係合突部４６の図面上側の面が前記係合突部４６の図面上側の面に当接し、それにより前記押圧部材４０が第２の位置に保持されるようになっている。
【００７１】
また、この係合突部４６は、前記ＣＦカード収容部１９にＣＦカード２が装着される際に、ＣＦカード２の側部に当接して、図面右側、すなわち前記腕部１７Ｒの外側に向かって変位するように構成されている。この変位によって該係合突部４６と前記係合孔部２４との係合が解除され、前記押圧部材４０が第２の位置から第１の位置に向けて変位可能となるよう構成されている。
【００７２】
また、この押圧部材４０は、ＣＦカード２を前記ＣＦカード収容部１９に収容し、図４に示す第１の位置、すなわちＣＦカード２の前記電気接続部が前記第２のコネクタ１２と接続可能となる位置と、図３に示す第２の位置、すなわちＣＦカード２の電気接続部を前記第２のコネクタ１２から取り外す位置との間で変位し、第１の位置にあるＣＦカード２を第２の位置に向けて押圧する。このとき、前記第２のコネクタ１２の端子ピン２９（図２参照）は、前記押圧部材４０のカバー部４１の突出口４４を通って前記押圧部材４０のカバー部４１の内部に収容され、該カバー部４１によって保護されるようになっている。そして、この押圧部材４０の動作に伴い、前記第２のコネクタ１２の端子ピン２９がＣＦカード２の電気接続部から引き抜かれるようになっている。
【００７３】
また、押圧部材４０はＣＦカード２に対して、押圧部材４０の幅方向のほぼ中央位置から両外方向に沿って面接触または点接触（中央位置より両外方なので併せて２点接触となるが、接触点は多い方が好ましい）で押圧する構成であるため、上述した従来のカードアダプタ８０のようにイジェクトアーム８８の先端部の１点でのみの接触ではなくなり、ＣＦカードとの当接部の磨耗を防止する事ができる。また、上記面接触及び点接触は押圧部材のほぼ中央位置から両外方に位置しているので、ＣＦカード収容部１９内でのＣＦカード２の傾きを防止することもできる。
【００７４】
前記アーム６０は、金属板材によって形成されており、図２および図８に示すように、そのほぼ中央に前記シャーシ１０に設けられた回転軸１３に支持される軸孔６１が設けられている。また、このアーム６０の図面右側の端部に突部６２が、図面左側の端部に連係片６３が設けられている。本実施形態においては、前記連係片６３を除く部分を便宜的にアーム本体６４と称し、前記連係片６３と連係片収容部５１との係合部分を第２の連係部１５と称する。
【００７５】
前記突部６２は、図６および図７に示すように、金属板材からなる前記アーム６０の図面右側の端部にバーリング加工などの塑性加工を施すことによって前記アーム６０と一体的に形成されている。本実施形態では、このように前記突部６２をバーリング加工によって前記アーム６０と一体的に形成することで、前記アーム６０を製作する際の作業を効率化している。
【００７６】
前記連係片６３は、図９（ａ）および（ｂ）に示すように、ほぼ長方形の板状をなし、前記アーム本体６４の図面左側の端部と段部６５を介して一体的に形成されている。前記段部６５は、前記イジェクトレバー５０に設けられた後述する連係片収容部５１に対する該連係片６３の位置を調節する機能を有しており、前記連係片６３と前記アーム本体６４とをこの段部６５を介して一体的に形成することで、前記アーム６０を前記シャーシ１０に取り付ける際に、前記連係片６３を前記イジェクトレバー５０の連係片収容部５１へ係合させる作業を効率化している。
【００７７】
前記イジェクトレバー５０は、図２に示すように、前記シャーシ１０に設けられた前記イジェクトレバー収容部２５に収容される棒状のイジェクトロッド５２と、該イジェクトロッド５２の図面下端部を覆う絶縁樹脂からなるキャップ５３とから構成されている。
【００７８】
なお、本実施形態においては、前記キャップ５３は、ほぼ直方体状に構成されているが、この構成に限らず、図１６に示すように、前記キャップ５３を前記腕部１７Ｌとほぼ同一の断面形状となるように構成するとともに、前記キャップ５３の図面右側面に、前記腕部１７Ｌの延出方向に延びる案内突部（突条）５４を設けることが可能である。
【００７９】
この案内突部５４は、ＣＦカード２を前記シャーシ１０のＣＦカード収容部１９へ取り付ける際に、ＣＦカード２の側面に設けられた案内凹部５と係合し、ＣＦカード２を案内するためのものである。
【００８０】
この案内突部５４を設けることにより、例えばカードアダプタ１が図示しないＰＣカード用スロットに装着されている状態でＣＦカード２を該カードアダプタ１に装着する際、ＣＦカード２の案内凹部５が前記案内突部５４によって案内されるため、ＣＦカード２をスムーズに装着することが可能となる。
【００８１】
前記イジェクトロッド５２の先端には、図２および図９に示すように、前記アーム６０の連係片６３を収容する連係片収容部５１が設けられている。該連係片収容部５１は、図９（ａ）および（ｂ）に示すように、前記イジェクトロッド５２の図面右側面から左側面にかけて貫通する断面ほぼ長方形の貫通孔である。この連係片収容部５１の幅は、前記連係片６３の幅より大きな幅に設定されている。
【００８２】
このように、連係片収容部５１の幅を前記連係片６３の幅より大きな幅に設定することで、前記押圧部材４０の孔部４５と、前記連係片６３と前記連係片収容部５１との間に所定の遊びを設けることが可能となり、前記アーム６０の回転運動を好適に前記イジェクトレバー５０の往復運動に変換できるようになっている。
【００８３】
前記導電プレート７０、７１は、金属板材などによって形成されており、図２および図１１に示すように、前記シャーシ１０の本体部１６を保護するほぼ長方形のカバープレート７２と、該カバープレートの図面下側の両端から延出する１対のカバー片７３Ｌ、７３Ｒとから構成されている。
【００８４】
前記カバープレート７２は、前記シャーシ１０に取り付けた際に、前記シャーシ１０の図面上部に設けられた接続片２８に当接するよう構成されている。該接続片２８は、前記第１のコネクタ１１の端子ピンの少なくとも１つと電気的に接続されており、前記カバープレート７２からの静電気を前記スロットの接地用端子へ放電する機能を有している。
【００８５】
また、これらの導電プレート７０、７１のうち、前記シャーシ１０の上面側に位置する導電プレート７０の前記１対のカバー片７３Ｌ、７３Ｒは、それぞれ、図１１および図１２に示すように、その裏側に該カバー片７３Ｌ、７３Ｒの外側の端部から内側に向かって延出する細長い板状の弾接片７４Ｌ、７４Ｒを有している。該弾接片７４Ｌ、７４Ｒは、当該導電プレート７０が前記シャーシ１０に取り付けられた際に、図１３に示すように、前記シャーシ１０に設けられた前記接続部材３０の嵌合片３３に弾接し、前記接続部材３０と当該導電プレート７０とを電気的に接続する機能を有している。
【００８６】
また、この導電プレート７０には、たとえば舌片など前記スロットの上面側に位置する前記スロットの接地手段と接続する接続部７５が設けられている。
【００８７】
この接続部７５は、図２および図１１に示すように、前記導電プレート７０の前記第１のコネクタ１１側の端部付近に複数設けられており、各々が半球状に突出する突起形状をなしている。この接続部７５は、前記第１のコネクタ１１が前記スロットの接点に電気接続された後に前記スロットの接地手段に電気接続されるよう構成されており、前記導電プレート７０からの静電気が放電経路の遮断等の原因により前記第１のコネクタ１１から放電不可となった場合に、この接続部７５が前記スロットの接地手段と接続し、前記導電プレート７０からの静電気を前記スロットの接地手段へと放電するよう構成されている。また、接続部７５は、前記スロットの接地手段と多点で接触するため、カバープレート７２の接地抵抗を下げ、このため、機器内部電磁波の外部へ不要輻射をシールドすることが可能となる。
【００８８】
このように、本実施形態においては、ＣＦカード２からの静電気は、まず第１の放電経路として、前記接続部材３０と、前記導電プレート７０と、前記接続片２８と、前記第１のコネクタ１１を介して前記スロットの接地用端子へと放電されるようになっている。なお、この第１の放電経路が何らかの原因によって遮断された場合には、ＣＦカード２からの静電気は、第２の放電経路、すなわち、前記接続部材３０と、前記導電プレート７０（前記接続部７５）とを介して前記スロットの上側の面の接地手段へと放電されるようになっている。このように、ＣＦカード２からの静電気を２通りの放電経路によって放電可能な構成とすることで、より確実にＣＦカード２からの静電気を前記スロットの接地手段へと放電することが可能となる。
【００８９】
そして、この構造においては、上述した従来のカードアダプタ８０のようにシャーシ８１の側部に導電プレート８３と導通する接触片９２を配置する必要がないため、カードアダプタを把持する操作者と導電プレートとを確実に絶縁することが可能となる。そのため、特に冬場などに操作者の体内に大量の静電気が蓄積されている場合に、その静電気が前記導電プレート７０を介して前記スロットやＣＦカード２に向けて放電されないので、それによりこれらの内部に設けられた電子回路が誤動作したり、破壊されたりするおそれがない。
【００９０】
上述したように、本発明のカードアダプタは、前記押圧部材４０と、前記アーム６０と、前記イジェクトレバー５０とを前記第１の連係部１４および前記第２の連係部１５を介して連係し、これら３つの部材のうちの１つが変位した際に他の２つの部材も連動するように構成されている。そして、ＣＦカード２が当該カードアダプタ１から取り外された際、すなわち前記押圧部材４０が第１の位置から第２の位置へと変位した際に、前記イジェクトレバー５０が前記押圧部材４０の変位に連動して確実に前記シャーシ１０の内部に引き込まれるようになっている。
【００９１】
そのため、前記イジェクトレバー５０を使用することなく当該カードアダプタ１から手でＣＦカード２が引き抜かれた場合にも、前記イジェクトレバー５０が前記シャーシ１０内部に収容されるようになっており、ＣＦカード２非装着時における前記イジェクトレバー５０の破損が防止されるようになっている。
【００９２】
また、上記構造においては、前記回転軸１３を前記シャーシ１０と一体的に形成し、前記アーム６０の軸孔６１を挿通した後にその上側の端部を当該回転軸１３の直径より拡径となるよう加工を施し、当該回転軸１３からの前記アーム６０の離脱を防止するよう構成することが好ましい。
【００９３】
また、上記構造においては、前記シャーシ１０に前記アーム６０の回転角度を制限する制限手段として、壁部２２ａないし２２ｄを設けることが好ましく、そのような構成とすることで、前記アーム６０の必要以上の回転が防止され、該アーム６０の回転に伴う前記押圧部材４０や前記イジェクトレバー５０の前記シャーシ１０からの必要以上の突出が防止される。
【００９４】
また、上記構造においては、前記第１の連係部１４を前記アーム６０の一端に設けられた突部６２と、前記押圧部材４０に設けられ、前記突部６２と係合する孔部４５とによって構成し、前記孔部４５を前記押圧部材４０の幅方向ほぼ中央部に位置するよう構成することが好ましく、そのような構成とすることで、前記押圧部材４０が変位する際の前記押圧部材４０の傾斜が防止される。
【００９５】
また、上記構造においては、前記アーム６０を金属板材によって形成し、前記突部６２をバーリング加工によって前記アーム６０と一体的に形成することが好ましく、そのような構成とすることで、前記アーム６０の製造工程を簡略化できる。
【００９６】
また、上記構造においては、前記孔部４５を前記突部６２の直径とほぼ同一の幅を有する長孔状に形成し、前記突部６２が前記アーム６０の回動時に前記孔部４５に沿って移動可能に構成することが好ましく、そのような構成とすることで、前記アーム６０の回転運動を前記押圧部材４０の往復運動に好適に変換することができる。
【００９７】
また、上記構造においては、前記第２の連係部１５を前記アーム６０の他端に設けられた連係片６３と、前記イジェクトレバー５０に設けられ、前記連係片と係合する連係片収容部５１とで構成することによって前記アーム６０の回転運動を前記イジェクトレバー５０の往復運動に変換している。また、前記連係片６３は、前記連係片収容部５１に対する該連係片６３の位置を調節する段部６５を介して前記アーム本体６４と一体的に形成することが好ましく、そのような構成とすることで、前記イジェクトレバー５０に対する前記アーム６０の組み付け作業を簡略化できる。
【００９８】
また、上記構造においては、前記押圧部材４０が前記第２の位置に到達した際に、該押圧部材４０を前記第２の位置に保持する保持手段を設けることが好ましく、この保持手段を、前記押圧部材４０に固定され、係合突部４６を有する弾性片４３と、前記シャーシ１０に形成された係合孔部２４とから構成し、該弾性片４３の係合突部４６が前記シャーシ１０に形成された係合孔部２４に係合し、それにより前記押圧部材４０が前記第２の位置に保持されるよう構成することが好ましく、そのような構成とすることで、前記押圧部材４０を確実に前記第２の位置に保持することが可能となる。また、前記係合突部４６は、ＣＦカード２が装着される際にＣＦカード２の側部に当接して変位するように構成し、この変位によって該係合突部４６と前記係合孔部２４との係合が解除され、前記押圧部材４０が前記第２の位置から前記第１の位置に向けて変位可能になるよう構成することが好ましく、そのような構成とすることで、ＣＦカード２の装着時にのみ前記押圧部材４０が変位するよう構成できる。
【００９９】
また、上記構造においては、前記シャーシ１０が、該シャーシの前記第２のコネクタ１２側から間隔をおいて延出し、前記ＣＦカード収容部１９を規定する１対の腕部１７Ｌ、１７Ｒを有する構造とし、該腕部１７Ｌ、１７Ｒのうちの一方に前記イジェクトレバー５０、他方に前記弾性片４３を配置することが好ましく、そのような構成とすることで、当該シャーシ１０内部の限られたスペースを効率的に利用することが可能となる。
【０１００】
また、上記構造においては、前記シャーシ１０の１対の腕部１７Ｌ、１７Ｒに当該シャーシの両面を覆う１対の導電プレート７０、７１と、当該カードアダプタ１を把持する操作者とを絶縁する絶縁把持部を設けることが好ましく、そのような構成とすることで、操作者からの静電気が前記導電プレート７０、７１を介してＣＦカード内部や、前記第１のコネクタ１１に接続されるスロットへ放電されることを防止できる。
【０１０１】
また、上記構造においては、前記シャーシ１０を絶縁素材によって形成し、前記絶縁把持部を前記腕部１７Ｌ、１７Ｒの延出方向先端部の絶縁素材を露出させることによって構成することが好ましく、そのような構成とすることで、簡単な構造であり、なおかつ確実に操作者と前記導電プレート７０、７１とを絶縁できる絶縁把持部を設けることが可能となる。
【０１０２】
また、上記構造においては、前記絶縁把持部１８を操作者によって把持される頻度の高い前記１対の腕部１７Ｌ、１７Ｒの延出方向先端側から少なくとも１ｃｍの距離にわたって設けることが好ましい。
【０１０３】
また、上記構造においては、前記１対の導電プレート７０、７１の少なくとも一方に、前記スロットに設けられた接地手段に電気接続する接続部７５を設けることが好ましく、そのような構成とすることで、ＣＦカード２からの静電気をより確実に前記スロットの接地手段へと放電することが可能となる。また、機器内部電磁波の外部への不要輻射をシールドすることが可能となる。また、前記接続部７５は、前記第１のコネクタ１１が前記スロットの接点に電気接続された後に前記スロットの接地手段に電気接続されるよう構成することが好ましい。さもないと、前記接続部７５が、先に前記スロットの接点に接するような位置関係にあるということは、接続部７５の位置が導電プレート７０の例えば図２の紙面上端部に近づく事を意味し、この為、カードアダプターが前記スロットから、より飛び出た状態でも、接地される事となり、操作者が、絶縁把持部よりも導電プレートのカバー片７３Ｌ、７３Ｒの方に触れる可能性が増え、放電の危険が上昇する。
【０１０４】
また、本発明のカードアダプタ１は、たとえば、ＣＦカードなどの半導体メモリーカード用のカードアダプタとして好適に利用することができる。そして、本発明のカードアダプタ１をＣＦカード用のカードアダプタとして用いる場合には、ＣＦカード２の接地用接触部３を前記導電プレート７０、７１の少なくとも一方に電気的に接続する接続部材３０などの接続手段を設けることが好ましい。
【０１０５】
最後に、本発明は、上述した実施形態に限定されることはなく、特許請求の範囲に記載された範囲で種々の変更及び改良が可能であることは言うまでもない。たとえば、本発明のカードアダプタを本実施形態で適用したＣＦカードやＰＣカード以外の規格のカードアダプタに適用することは無論可能である。
【０１０６】
【発明の効果】
以上述べたように、本発明のカードアダプタは、カード状電子機器を押圧する押圧部材と、伝達部材と、イジェクトレバーとを第１の連係部および第２の連係部を介して連係し、これら３つの部材のうちの１つが変位した際に他の２つの部材も連動するように構成されている。
【０１０７】
そのため、当該カードアダプタに対してカード状電子機器を確実かつ容易に着脱することができる。
【図面の簡単な説明】
【図１】本発明のカードアダプタの全体構成を示す斜視図である。
【図２】本発明のカードアダプタの構造を示す分解側面図である。
【図３】本発明のカードアダプタからＣＦカード未装着時に導電プレートを取り外した状態を示す斜視図である。
【図４】本発明のカードアダプタからＣＦカード装着時に導電プレートを取り外した状態を示す斜視図である。
【図５】図３のカードアダプタの腕部の内部構造を示す一部切り欠き断面図である。
【図６】本発明のカードアダプタに係るシャーシ、押圧部材、アームの断面図である。
【図７】図６において矢印Ａで示す第１連係部の断面の拡大図である。
【図８】図６において矢印Ｂで示すシャーシの回転軸およびアーム本体の断面の拡大図である。
【図９】図９（ａ）は、本発明のカードアダプタに係る第２の連係部を図２右下側から見た斜視図、図９（ｂ）は、本発明のカードアダプタに係る第２の連係部を図２左下側から見た斜視図である。
【図１０】図１０（ａ）および（ｂ）は、本発明のカードアダプタに係る接続部材の斜視図である。
【図１１】本発明のカードアダプタに係る導電プレートを裏側から見た斜視図である。
【図１２】図１２（ａ）および（ｂ）は、それぞれ図１１の弾接片およびその周辺部の拡大図である。
【図１３】図１のＡ-Ａ′線断面図である。
【図１４】本発明のカードアダプタに装着されるＣＦカードの全体構成を示す斜視図である。
【図１５】本発明のカードアダプタに係る腕部の構成の他の実施形態を示す正面図である。
【図１６】本発明のカードアダプタのイジェクトレバーに係るキャップの変形例が適用されたカードアダプタの全体構成を示す斜視図である。
【図１７】従来のカードアダプタの構造を示す分解斜視図である。
【符号の説明】
１      カードアダプタ
２      ＣＦカード
３      接地用接触部
４      案内溝
５      案内凹部
１０    シャーシ
１１    第１のコネクタ
１２    第２のコネクタ
１３    回転軸
１４    第１の連係部
１５    第２の連係部
１６    本体部
１７Ｌ、１７Ｒ    腕部
１７Ｌ′短腕部
１７Ｒ′長腕部
１８Ｌ、１８Ｒ    絶縁把持部
１９    ＣＦカード収容部
２０    被取付部
２１    付勢部材
２２ａ、２２ｂ、２２ｃ、２２ｄ    壁部
２３    弾性片収容部
２４    係合孔部
２５    イジェクトレバー収容部
２７Ｌ、２７Ｒ    開口部
２８    接続片
２９    端子ピン
３０    接続部材
３１    弾接部
３２    取付部
３３    嵌合片
３４    鉤部
４０    押圧部材
４１    カバー部
４２    連係部
４３    弾性片
４４    突出口
４５    孔部
４６    係合突部
４７    板バネ部
５０    イジェクトレバー
５１    連係片収容部
５２    イジェクトロッド
５３    キャップ
５４    案内突部
６０    アーム
６１    軸孔
６２    突部
６３    連係片
６４    アーム本体
６５    段部
７０    導電プレート（上側）
７１    導電プレート（下側）
７２    カバープレート
７３Ｌ、７３Ｒ    カバー片
７４Ｌ、７４Ｒ    弾接片
７５    接続部
８０    従来のカードアダプタ
８１    シャーシ
８２    回路基板組立体
８３    導電プレート
８４    ＣＦカード収容部
８５    第１のコネクタ
８６    第２のコネクタ
８７    イジェクトボタン
８８    イジェクトアーム
８９    回転軸
９０    連係部
９１    弾接片
９２    接触片
９３    第２のコネクタ端子
【図１】
0004416968.tif 000002
【図２】
0004416968.tif 000003
【図３】
0004416968.tif 000004
【図４】
0004416968.tif 000005
【図５】
0004416968.tif 000006
【図６】
0004416968.tif 000007
【図７】
0004416968.tif 000008
【図８】
0004416968.tif 000009
【図９】
0004416968.tif 000010
【図１０】
0004416968.tif 000011
【図１１】
0004416968.tif 000012
【図１２】
0004416968.tif 000013
【図１３】
0004416968.tif 000014
【図１４】
0004416968.tif 000015
【図１５】
0004416968.tif 000016
【図１６】
0004416968.tif 000017
【図１７】
0004416968.tif 000018